(57)【要約】【課題】画像と視覚的に調和の取れた色が用いられたアルバムを容易に作成すること。【解決手段】アルバム作成装置は、画像の主要被写体を判断する主要被写体判断部と、主要被写体判断部によって判断された主要被写体以外の画像領域に含まれる複数の色を抽出する色抽出部と、色抽出部が抽出した複数の色の出現頻度を算出する色出現頻度算出部と色出現頻度算出部が算出した複数の色の出現頻度に基づいて、主要被写体判断部によって判断された主要被写体以外の画像領域における特徴的な色である特徴色を決定する特徴色決定部と、特徴色決定部が決定した特徴色に基づいて、画像を含むアルバムにおける画像以外の部分に使用する色であるアルバム使用色を選択するアルバム使用色選択部とを備える。【選択図】図２
2006318449.tif 000002
【特許請求の範囲】
【請求項１】
画像を含むアルバムを作成するアルバム作成装置であって、
前記画像の主要被写体を判断する主要被写体判断部と、
前記主要被写体判断部によって判断された主要被写体以外の画像領域の色を解析する画像色解析部と、
前記画像色解析部の解析結果に基づいて、前記画像を含むアルバムにおける前記画像以外の部分に使用する色を決定するアルバム使用色決定部と
を備えるアルバム作成装置。
【請求項２】
前記画像色解析部は、
前記主要被写体判断部によって判断された主要被写体以外の画像領域に含まれる複数の色を抽出する色抽出部と、
前記色抽出部が抽出した複数の色の出現頻度を算出する色出現頻度算出部と
を有し、
前記アルバム使用色決定部は、
前記色出現頻度算出部が算出した複数の色の出現頻度に基づいて、前記主要被写体判断部によって判断された主要被写体以外の画像領域における特徴的な色である特徴色を決定する特徴色決定部と、
前記特徴色決定部が決定した特徴色に基づいて、前記画像を含むアルバムにおける前記画像以外の部分に使用する色であるアルバム使用色を選択するアルバム使用色選択部と
を有する請求項１に記載のアルバム作成装置。
【請求項３】
前記アルバム使用色決定部は、
予め定められた複数の色の組み合わせを示すカラーパレットの情報を複数格納するカラーパレット情報格納部
をさらに有し、
前記アルバム使用色選択部は、前記特徴色決定部が決定した特徴色を含むカラーパレットを選択し、選択したカラーパレットに含まれる色をアルバム使用色として選択する
請求項２に記載のアルバム作成装置。
【請求項４】
前記特徴色決定部は、前記色出現頻度算出部が算出した複数の色の出現頻度に基づいて、前記主要被写体判断部によって判断された主要被写体以外の画像領域における複数の特徴色を決定し、
前記アルバム使用色選択部は、前記特徴色決定部が決定した複数の特徴色を含むカラーパレットを選択し、選択されたカラーパレットに含まれる色をアルバム使用色として選択する
請求項３に記載のアルバム作成装置。
【請求項５】
前記アルバム使用色決定部は、
複数の色のそれぞれに対応づけて、複数の色のそれぞれが画像中に出現し得る平均的な頻度を示す平均出現頻度を予め格納する平均出現頻度情報格納部
をさらに有し、
前記特徴色決定部は、前記平均出現頻度情報格納部が格納する平均出現頻度に対する、前記色出現頻度算出部が算出した出現頻度の割合がより大きい色を、前記主要被写体判断部によって判断された主要被写体以外の画像領域における特徴色として決定する
請求項２に記載のアルバム作成装置。
【請求項６】
前記画像が撮像された撮像位置を特定する撮像位置特定部
をさらに備え、
前記カラーパレット情報格納部は、撮像位置に対応づけて、予め定められた複数の色の組み合わせを示すカラーパレットの情報を複数格納しており、
前記アルバム使用色選択部は、前記撮像位置特定部が特定した撮像位置に対応づけて前記カラーパレット情報格納部が格納するカラーパレットを複数選択し、選択した複数のカラーパレットから、前記特徴色決定部が決定した特徴色を含むカラーパレットを選択し、選択したカラーパレットに含まれる色をアルバム使用色として選択する
請求項３に記載のアルバム作成装置。
【請求項７】
複数の画像を格納する画像格納部と、
アルバムにおいて主要な画像となるべき主画像を、前記画像格納部が格納している複数の画像から選択する主画像選択部と
をさらに備え、
前記色抽出部は、前記主画像選択部が選択した主画像において前記主要被写体判断部によって判断された主要被写体以外の画像領域に含まれる複数の色を抽出し、
前記色出現頻度算出部は、前記主画像選択部が選択した主画像において前記色抽出部が抽出した複数の色の出現頻度を算出し、
前記特徴色決定部は、前記主画像選択部が選択した主画像において前記色出現頻度算出部が算出した複数の色の出現頻度に基づいて、前記主要被写体判断部によって判断された主要被写体以外の画像領域における特徴的な色である特徴色を決定する
請求項２に記載のアルバム作成装置。
【請求項８】
前記特徴色決定部が決定した特徴色に基づいて、前記主画像選択部が選択した主画像にアルバムにおいて従属する画像となるべき従画像を、前記画像格納部が格納している複数の画像から選択する従画像選択部
をさらに備える
請求項７に記載のアルバム作成装置。
【請求項９】
前記色抽出部は、前記画像格納部が格納している複数の画像において前記主要被写体判断部によって判断された主要被写体以外の画像領域に含まれる複数の色を抽出し、
前記特徴色決定部は、前記色出現頻度算出部が算出した複数の色の出現頻度に基づいて、前記主要被写体判断部によって判断された主要被写体以外の画像領域における特徴的な色である特徴色を決定し、
前記従画像選択部は、前記主画像選択部が選択した主画像において前記特徴色決定部が決定した特徴色を含むカラーパレットを選択し、選択したカラーパレットに含まれる色を、前記特徴色決定部が決定した特徴色として含む画像を従画像として選択する
請求項８に記載のアルバム作成装置。
【請求項１０】
前記アルバム使用色決定部は、
予め定められた複数の色の組み合わせを示すカラーパレットの情報を複数格納するカラーパレット情報格納部と、
前記特徴色決定部が決定した特徴色を含むカラーパレットを選択するカラーパレット選択部と
をさらに有し、
前記アルバム使用色選択部は、前記色抽出部が抽出した複数の色の中から、前記カラーパレット選択部が選択したカラーパレットに含まれる少なくとも１つ色のそれぞれに最も類似する色である類似色を抽出し、抽出した類似色をアルバム使用色として選択する
請求項２に記載のアルバム作成装置。
【請求項１１】
前記アルバム使用色決定部は、
前記カラーパレット情報格納部が格納しているカラーパレットに含まれるそれぞれの色に対応づけて、類似色として抽出されるべき条件である抽出条件を格納する抽出条件格納部
をさらに有し、
前記アルバム使用色選択部は、前記カラーパレット選択部が選択したカラーパレットに含まれるそれぞれの色に対応づけて前記抽出条件格納部が格納している抽出条件に合致する色を、前記色抽出部が抽出した複数の色の中から類似色として抽出し、抽出した類似色をアルバム使用色として選択する
請求項１０に記載のアルバム作成装置。
【請求項１２】
前記抽出条件格納部は、前記カラーパレット情報格納部が格納しているカラーパレットに含まれるそれぞれの色に対応づけて、当該色を含む、類似色として抽出されるべき色範囲を格納し、
前記アルバム使用色選択部は、前記カラーパレット選択部が選択したカラーパレットに含まれるそれぞれの色に対応づけて前記抽出条件格納部が格納している色範囲に含まれる色を、前記色抽出部が抽出した複数の色の中から類似色として抽出し、抽出した類似色をアルバム使用色として選択する
請求項１１に記載のアルバム作成装置。
【請求項１３】
前記特徴色決定部が決定した特徴色を持つ、前記画像に含まれるオブジェクトからテクスチャの特徴量を抽出するテクスチャ抽出部と、
前記テクスチャ抽出部が抽出したテクスチャの特徴量に基づいて生成されたテクスチャテンプレート画像を、前記画像を含むアルバムにおける前記画像以外の部分に配置するアルバム作成部と
をさらに備える請求項２に記載のアルバム作成装置。
【請求項１４】
画像を含むアルバムを作成するアルバム作成方法であって、
前記画像の主要被写体を判断する主要被写体判断段階と、
前記主要被写体判断段階において判断された主要被写体以外の画像領域の色を解析する画像色解析段階と、
前記画像色解析段階における解析結果に基づいて、前記画像を含むアルバムにおける前記画像以外の部分に使用する色を決定するアルバム使用色決定段階と
を備えるアルバム作成方法。
【請求項１５】
画像を含むアルバムを作成するアルバム作成装置用のプログラムであって、前記アルバム作成装置を、
前記画像の主要被写体を判断する主要被写体判断部、
前記主要被写体判断部によって判断された主要被写体以外の画像領域の色を解析する画像色解析部、
前記画像色解析部の解析結果に基づいて、前記画像を含むアルバムにおける前記画像以外の部分に使用する色を決定するアルバム使用色決定部
として機能させるプログラム。
【請求項１６】
画像を含むアルバムを作成するアルバム作成装置であって、
前記画像の主要被写体を判断する主要被写体判断部と、
前記主要被写体判断部によって判断された主要被写体以外の画像領域に含まれるテクスチャの特徴量を抽出するテクスチャ抽出部と、
前記テクスチャ抽出部が抽出したテクスチャの特徴量に基づいて生成されたテクスチャテンプレート画像を、前記画像を含むアルバムにおける前記画像以外の部分に配置するアルバム作成部と
を備えるアルバム作成装置。
【請求項１７】
前記テクスチャ抽出部は、前記主要被写体判断部によって判断された主要被写体以外の画像領域において空間周波数を解析することによって、主要被写体以外の画像領域における特徴的な周波数領域を抽出し、
前記アルバム作成部は、前記テクスチャ抽出部が抽出した周波数領域を強調して生成されたテクスチャテンプレート画像を、前記画像を含むアルバムにおける前記画像以外の部分に配置する
請求項１６に記載のアルバム作成装置。
【請求項１８】
前記画像を含むアルバムにおける前記画像以外の部分のデザインを定めた背景テンプレートを格納するテンプレート格納部
をさらに備え、
前記アルバム作成部は、前記テクスチャ抽出部が抽出した周波数領域が強調された輝度信号パターンを生成して、生成した輝度信号パターンを、前記テンプレート格納部が格納している背景テンプレートに重ね合わせることによってテクスチャテンプレート画像を生成し、生成したテクスチャテンプレート画像を、前記画像を含むアルバムにおける前記画像以外の部分に配置する
請求項１７に記載のアルバム作成装置。
【請求項１９】
テクスチャの特徴量に対応づけて、当該特徴量を持つテクスチャテンプレート画像を格納するテクスチャテンプレート格納部
をさらに備え、
前記アルバム作成部は、前記テクスチャ抽出部が抽出したテクスチャの特徴量に対応づけて前記テクスチャテンプレート格納部が格納しているテクスチャテンプレート画像を、前記画像を含むアルバムにおける前記画像以外の部分に配置する
請求項１６に記載のアルバム作成装置。
【請求項２０】
画像を含むアルバムを作成するアルバム作成方法であって、
前記画像の主要被写体を判断する主要被写体判断段階と、
前記主要被写体判断段階によって判断された主要被写体以外の画像領域に含まれるテクスチャの特徴量を抽出するテクスチャ抽出段階と、
前記テクスチャ抽出段階において抽出されたテクスチャの特徴量に基づいて生成されたテクスチャテンプレート画像を、前記画像を含むアルバムにおける前記画像以外の部分に配置するアルバム作成段階と
を備えるアルバム作成方法。
【請求項２１】
画像を含むアルバムを作成するアルバム作成装置用のプログラムであって、前記アルバム作成装置を、
前記画像の主要被写体を判断する主要被写体判断部、
前記主要被写体判断部によって判断された主要被写体以外の画像領域に含まれるテクスチャの特徴量を抽出するテクスチャ抽出部、
前記テクスチャ抽出部が抽出したテクスチャの特徴量に基づいて生成されたテクスチャテンプレート画像を、前記画像を含むアルバムにおける前記画像以外の部分に配置するアルバム作成部
として機能させるプログラム。
【発明の詳細な説明】
【技術分野】
【０００１】
本発明は、アルバム作成装置、アルバム作成方法、及びプログラムに関する。特に本発明は、複数の画像を含むアルバムを作成するアルバム作成装置、アルバム作成方法、並びに、アルバム作成装置用のプログラムに関する。
【背景技術】
【０００２】
旅行先で撮影した画像データに付帯された位置情報、撮影時間情報等のタグ情報を元にして、画面の中心に旅行先の地図を配置して、地図の周囲に配置された画像と地図上における撮像位置とを線で結ぶなどして、地図と画像との関連がわかるようにレイアウトされたアルバムを作成する技術が知られている（例えば、特許文献１参照。）。
【特許文献１】特開平１０−１２６７３１号公報
【発明の開示】
【発明が解決しようとする課題】
【０００３】
しかしながら、特許文献１による技術によってアルバムを作成すると、例えば海辺で撮像された砂浜、海、空の画像等の画像が、黒色を多く含む地図の周囲に配置されたアルバムが作成されてしまうことがある。砂浜、海、空の画像に含まれる淡い色と、アルバムの地図に含まれる黒色とは視覚的に調和がとれないため、アルバムの閲覧者は違和感を感じてしまう。アルバムのタイトル、アルバム内のイラスト等のオブジェクト、画像を強調する枠等に用いる色は、アルバムに収める画像の色と調和のとれた色であることが望ましい。また、閲覧者にとっては、アルバムに使用する色を決定するなどといった煩雑な作業をすることなく、調和のとれた色が使用されたアルバムが手軽に作成されて閲覧できるのが望ましい。
【０００４】
そこで本発明は、上記の課題を解決することができるアルバム作成装置、アルバム作成方法、及びプログラムを提供することを目的とする。この目的は特許請求の範囲における独立項に記載の特徴の組み合わせにより達成される。また従属項は本発明の更なる有利な具体例を規定する。
【課題を解決するための手段】
【０００５】
本発明の第１の形態によると、画像を含むアルバムを作成するアルバム作成装置であって、画像の主要被写体を判断する主要被写体判断部と、主要被写体判断部によって判断された主要被写体以外の画像領域の色を解析する画像色解析部と、画像色解析部の解析結果に基づいて、画像を含むアルバムにおける画像以外の部分に使用する色を決定するアルバム使用色決定部とを備える。
【０００６】
画像色解析部は、主要被写体判断部によって判断された主要被写体以外の画像領域に含まれる複数の色を抽出する色抽出部と、色抽出部が抽出した複数の色の出現頻度を算出する色出現頻度算出部とを有し、アルバム使用色決定部は、色出現頻度算出部が算出した複数の色の出現頻度に基づいて、主要被写体判断部によって判断された主要被写体以外の画像領域における特徴的な色である特徴色を決定する特徴色決定部と、特徴色決定部が決定した特徴色に基づいて、画像を含むアルバムにおける画像以外の部分に使用する色であるアルバム使用色を選択するアルバム使用色選択部とを有する。
【０００７】
アルバム使用色決定部は、予め定められた複数の色の組み合わせを示すカラーパレットの情報を複数格納するカラーパレット情報格納部をさらに有し、アルバム使用色選択部は、特徴色決定部が決定した特徴色を含むカラーパレットを選択し、選択したカラーパレットに含まれる色をアルバム使用色として選択する。
【０００８】
特徴色決定部は、色出現頻度算出部が算出した複数の色の出現頻度に基づいて、主要被写体判断部によって判断された主要被写体以外の画像領域における複数の特徴色を決定し、アルバム使用色選択部は、特徴色決定部が決定した複数の特徴色を含むカラーパレットを選択し、選択されたカラーパレットに含まれる色をアルバム使用色として選択する。
【０００９】
アルバム使用色決定部は、複数の色のそれぞれに対応づけて、複数の色のそれぞれが画像中に出現し得る平均的な頻度を示す平均出現頻度を予め格納する平均出現頻度情報格納部をさらに有し、特徴色決定部は、平均出現頻度情報格納部が格納する平均出現頻度に対する、色出現頻度算出部が算出した出現頻度の割合がより大きい色を、主要被写体判断部によって判断された主要被写体以外の画像領域における特徴色として決定する。
【００１０】
画像が撮像された撮像位置を特定する撮像位置特定部をさらに備え、カラーパレット情報格納部は、撮像位置に対応づけて、予め定められた複数の色の組み合わせを示すカラーパレットの情報を複数格納しており、アルバム使用色選択部は、撮像位置特定部が特定した撮像位置に対応づけてカラーパレット情報格納部が格納するカラーパレットを複数選択し、選択した複数のカラーパレットから、特徴色決定部が決定した特徴色を含むカラーパレットを選択し、選択したカラーパレットに含まれる色をアルバム使用色として選択する。
【００１１】
複数の画像を格納する画像格納部と、アルバムにおいて主要な画像となるべき主画像を、画像格納部が格納している複数の画像から選択する主画像選択部とをさらに備え、色抽出部は、主画像選択部が選択した主画像において主要被写体判断部によって判断された主要被写体以外の画像領域に含まれる複数の色を抽出し、色出現頻度算出部は、色抽出部が抽出した複数の色の出現頻度を算出し、特徴色決定部は、色出現頻度算出部が算出した複数の色の出現頻度に基づいて、主要被写体判断部によって判断された主要被写体以外の画像領域における特徴的な色である特徴色を決定する。
【００１２】
特徴色決定部が決定した特徴色に基づいて、主画像選択部が選択した主画像にアルバムにおいて従属する画像となるべき従画像を、画像格納部が格納している複数の画像から選択する従画像選択部をさらに備える。
【００１３】
色抽出部は、画像格納部が格納している複数の画像において主要被写体判断部によって判断された主要被写体以外の画像領域に含まれる複数の色を抽出し、特徴色決定部は、色出現頻度算出部が算出した複数の色の出現頻度に基づいて、主要被写体判断部によって判断された主要被写体以外の画像領域における特徴的な色である特徴色を決定し、従画像選択部は、主画像選択部が選択した主画像において特徴色決定部が決定した特徴色を含むカラーパレットを選択し、選択したカラーパレットに含まれる色を、特徴色決定部が決定した特徴色として含む画像を従画像として選択する。
【００１４】
アルバム使用色決定部は、予め定められた複数の色の組み合わせを示すカラーパレットの情報を複数格納するカラーパレット情報格納部と、特徴色決定部が決定した特徴色を含むカラーパレットを選択するカラーパレット選択部とをさらに有し、アルバム使用色選択部は、色抽出部が抽出した複数の色の中から、カラーパレット選択部が選択したカラーパレットに含まれる少なくとも１つ色のそれぞれに最も類似する色である類似色を抽出し、抽出した類似色をアルバム使用色として選択してよい。
【００１５】
アルバム使用色決定部は、カラーパレット情報格納部が格納しているカラーパレットに含まれるそれぞれの色に対応づけて、類似色として抽出されるべき条件である抽出条件を格納する抽出条件格納部をさらに有し、アルバム使用色選択部は、カラーパレット選択部が選択したカラーパレットに含まれるそれぞれの色に対応づけて抽出条件格納部が格納している抽出条件に合致する色を、色抽出部が抽出した複数の色の中から類似色として抽出し、抽出した類似色をアルバム使用色として選択してよい。
【００１６】
抽出条件格納部は、カラーパレット情報格納部が格納しているカラーパレットに含まれるそれぞれの色に対応づけて、当該色を含む、類似色として抽出されるべき色範囲を格納し、アルバム使用色選択部は、カラーパレット選択部が選択したカラーパレットに含まれるそれぞれの色に対応づけて抽出条件格納部が格納している色範囲に含まれる色を、色抽出部が抽出した複数の色の中から類似色として抽出し、抽出した類似色をアルバム使用色として選択してよい。
【００１７】
特徴色決定部が決定した特徴色を持つ、画像に含まれるオブジェクトからテクスチャの特徴量を抽出するテクスチャ抽出部と、テクスチャ抽出部が抽出したテクスチャの特徴量に基づいて生成されたテクスチャテンプレート画像を、画像を含むアルバムにおける画像以外の部分に配置するアルバム作成部とをさらに備えてよい。
【００１８】
本発明の第２の形態によると、画像を含むアルバムを作成するアルバム作成方法であって、画像の主要被写体を判断する主要被写体判断段階と、主要被写体判断段階において判断された主要被写体以外の画像領域の色を解析する画像色解析段階と、画像色解析段階における解析結果に基づいて、画像を含むアルバムにおける画像以外の部分に使用する色を決定するアルバム使用色決定段階とを備える。
【００１９】
本発明の第３の形態によると、画像を含むアルバムを作成するアルバム作成装置用のプログラムであって、アルバム作成装置を、画像の主要被写体を判断する主要被写体判断部、主要被写体判断部によって判断された主要被写体以外の画像領域の色を解析する画像色解析部、画像色解析部の解析結果に基づいて、画像を含むアルバムにおける画像以外の部分に使用する色を決定するアルバム使用色決定部として機能させる。
【００２０】
本発明の第４の形態によると、画像を含むアルバムを作成するアルバム作成装置であって、画像の主要被写体を判断する主要被写体判断部と、主要被写体判断部によって判断された主要被写体以外の画像領域に含まれるテクスチャの特徴量を抽出するテクスチャ抽出部と、テクスチャ抽出部が抽出したテクスチャの特徴量に基づいて生成されたテクスチャテンプレート画像を、画像を含むアルバムにおける画像以外の部分に配置するアルバム作成部とを備える。
【００２１】
テクスチャ抽出部は、主要被写体判断部によって判断された主要被写体以外の画像領域において空間周波数を解析することによって、主要被写体以外の画像領域における特徴的な周波数領域を抽出し、アルバム作成部は、テクスチャ抽出部が抽出した周波数領域を強調して生成されたテクスチャテンプレート画像を、画像を含むアルバムにおける画像以外の部分に配置してよい。
【００２２】
画像を含むアルバムにおける画像以外の部分のデザインを定めた背景テンプレートを格納するテンプレート格納部をさらに備え、アルバム作成部は、テクスチャ抽出部が抽出した周波数領域が強調された輝度信号パターンを生成して、生成した輝度信号パターンを、テンプレート格納部が格納している背景テンプレートに重ね合わせることによってテクスチャテンプレート画像を生成し、生成したテクスチャテンプレート画像を、画像を含むアルバムにおける画像以外の部分に配置してよい。
【００２３】
テクスチャの特徴量に対応づけて、当該特徴量を持つテクスチャテンプレート画像を格納するテクスチャテンプレート格納部をさらに備え、アルバム作成部は、テクスチャ抽出部が抽出したテクスチャの特徴量に対応づけてテクスチャテンプレート格納部が格納しているテクスチャテンプレート画像を、画像を含むアルバムにおける画像以外の部分に配置してよい。
【００２４】
本発明の第５の形態によると、画像を含むアルバムを作成するアルバム作成方法であって、画像の主要被写体を判断する主要被写体判断段階と、主要被写体判断段階によって判断された主要被写体以外の画像領域に含まれるテクスチャの特徴量を抽出するテクスチャ抽出段階と、テクスチャ抽出段階において抽出されたテクスチャの特徴量に基づいて生成されたテクスチャテンプレート画像を、画像を含むアルバムにおける画像以外の部分に配置するアルバム作成段階とを備える。
【００２５】
本発明の第６の形態によると、画像を含むアルバムを作成するアルバム作成装置用のプログラムであって、アルバム作成装置を、画像の主要被写体を判断する主要被写体判断部、主要被写体判断部によって判断された主要被写体以外の画像領域に含まれるテクスチャの特徴量を抽出するテクスチャ抽出部、テクスチャ抽出部が抽出したテクスチャの特徴量に基づいて生成されたテクスチャテンプレート画像を、画像を含むアルバムにおける画像以外の部分に配置するアルバム作成部として機能させる。
【００２６】
なお上記の発明の概要は、本発明の必要な特徴の全てを列挙したものではなく、これらの特徴群のサブコンビネーションもまた発明となりうる。
【発明の効果】
【００２７】
本発明によれば、画像と視覚的に調和のとれた色が用いられたアルバムを容易に作成することができる。
【発明を実施するための最良の形態】
【００２８】
以下、発明の実施形態を通じて本発明を説明するが、以下の実施形態は特許請求の範囲に係る発明を限定するものではなく、また実施形態の中で説明されている特徴の組み合わせの全てが発明の解決手段に必須であるとは限らない。
【００２９】
図１は、本発明の一実施形態に係るアルバム作成装置１００の利用環境の一例を示す。アルバム作成装置１００は、複数の画像からアルバムを作成して、ディスプレイ、プリンタ等の出力デバイスに出力させる。アルバム作成装置１００は、被写体として撮像された人物の背景など、主要被写体以外の画像領域に含まれる特徴的な色を抽出する。例えばアルバム作成装置１００は、ハワイで撮像した主要被写体である人物の背景の砂浜、海、空の画像領域に最も多く現れる色として白色、水色等を抽出する。そしてアルバム作成装置１００は、ハワイの旅行アルバム向けに用意された複数のカラーパレットの中から、抽出した色を含むカラーパレットを選択する。そしてアルバム作成装置１００は、選択したカラーパレットに含まれる色を用いてアルバムのタイトル、画像の枠、オブジェクト等に着色してアルバムを作成する。なお、アルバム作成装置１００は、アルバムを作成して印刷する装置であってもよい。例えばアルバム作成装置１００は、パーソナルコンピュータ、電子アルバム、ＨＤＴＶ、プリンタ等であってよい。
【００３０】
以上説明したアルバム作成装置１００によれば、主要被写体の周囲の環境色に含まれる色と調和のとれた色が用いられたアルバムを自動的に作成することができる。このため、ユーザ１８０は、視覚的な違和感のないアルバムを容易に作成することができる。
【００３１】
図２は、アルバムにおける主画像及び従画像の一例を示す。本実施形態でいう主画像とは、ページにおいて閲覧者に対して最も強く印象づけることが意図されている画像をいう。例えば主画像とは、ページに配置された複数の画像のうち、最も強調された画像であってよい。具体的には、主画像とは、他の画像よりサイズが大きい画像、他の画像より前面に配置される画像、他の画像より中央寄りに配置される画像であってよい。他にも主画像とは、周囲が枠で強調された画像であったり、被写体にエフェクト等の視覚効果が施された画像であってもよい。また、本実施形態でいう従画像とは、主画像よりも小さく、より外側の位置に配置される画像であってよい。図２の例においては、画像３０１が主画像の一例であって、画像３０２、３０３、及び３０４は従画像の一例である。
【００３２】
なお、アルバム作成装置１００は、ページ内に画像をはめ込むべき画像枠が定められた複数のテンプレートを有していて、テンプレートで示される画像枠に画像をはめ込むことによってアルバムを作成してよい。そして、当該テンプレートにおいては、主画像をはめ込むべき主画像用の画像枠と、従画像をはめ込むべき従画像用の画像枠が予め定められていてもよい。そして、アルバム作成装置１００は、主画像の特徴的な色と視覚的に調和のとれた色を特徴的な色として持つ画像を従画像として選択して、従画像用に定められた画像枠にはめ込む。
【００３３】
なお、本実施形態におけるページとは、アルバムの見開きページのことであってよく、アルバムの見開きの片方のページであってもよい。また、アルバム作成装置１００が、ディスプレイ等の表示デバイスにアルバムとして出力する装置である場合においては、ページとは、表示デバイスに複数の画像が同時に表示される表示領域のことであってよい。
【００３４】
図３は、アルバム作成装置１００のブロック構成の一例を示す。アルバム作成装置１００は、画像格納部２５２、主画像選択部２１２、従画像選択部２２２、撮像位置特定部２３４、画像色解析部２６０、アルバム使用色決定部２７０、テンプレート格納部２５４、テクスチャ抽出部２９０、テクスチャテンプレート格納部２９２、及びアルバム作成部２５６を備える。画像色解析部２６０は、主要被写体判断部２３２、色抽出部２６２、及び色出現頻度算出部２６４を有する。アルバム使用色決定部２７０は、特徴色決定部２７４、アルバム使用色選択部２７６、カラーパレット情報格納部２７８、平均出現頻度情報格納部２７２、カラーパレット選択部２８０、及び抽出条件格納部２８２を有する。
【００３５】
画像格納部２５２は、複数の画像を格納する。主要被写体判断部２３２は、画像の主要被写体を判断する。具体的には、画像格納部２５２は、アルバムの作成に使用される複数の画像を格納する。そして、主要被写体判断部２３２は、画像格納部２５２が格納する、アルバムの作成に使用される複数の画像の主要被写体を判断する。主画像選択部２１２は、アルバムにおいて主要な画像となるべき主画像を、画像格納部２５２が格納している複数の画像から選択する。
【００３６】
画像色解析部２６０は、主要被写体判断部２３２によって判断された主要被写体以外の画像領域の色を解析する。テンプレート格納部２５４は、予め定められたアルバムのレイアウトを示すテンプレートを格納する。例えば、テンプレート格納部２５４は、アルバムの各ページにおいて配置される画像の大きさ及び位置を格納するとともに、アルバムのタイトル領域、アルバムの画像の背景となる領域、画像の外枠の領域等の、着色されるべき領域を示す着色領域を格納する。
【００３７】
アルバム使用色決定部２７０は、画像色解析部２６０の解析結果に基づいて、画像を含むアルバムにおける画像以外の部分に使用する色を決定する。そして、アルバム作成部２５６は、テンプレート格納部２５４が格納するテンプレートで示される着色領域に、アルバム使用色決定部２７０によって決定された色を用いて着色する。そして、アルバム作成部２５６は、テンプレート格納部２５４が格納するテンプレートに基づいて、画像格納部２５２が格納する複数の画像を配置してアルバムを作成する。
【００３８】
色抽出部２６２は、主要被写体判断部２３２によって判断された主要被写体以外の画像領域に含まれる複数の色を抽出する。色出現頻度算出部２６４は、色抽出部２６２が抽出した複数の色の出現頻度を算出する。なお、出現頻度とは、それぞれの色が画像において占める面積を指標にするものであってよい。また、画像格納部２５２が画素毎の色を格納している場合には、色抽出部２６２は各画素毎の色を抽出し、色出現頻度算出部２６４は色抽出部２６２によって抽出された色を有する画素の総数を出現頻度の指標としてよい。
【００３９】
平均出現頻度情報格納部２７２は、複数の色のそれぞれに対応づけて、複数の色のそれぞれが画像中に出現し得る平均的な頻度を示す平均出現頻度を予め格納する。特徴色決定部２７４は、色出現頻度算出部２６４が算出した複数の色の出現頻度に基づいて、主要被写体判断部２３２によって判断された主要被写体以外の画像領域における特徴的な色である特徴色を決定する。なお、色抽出部２６２は、主画像選択部２１２が選択した主画像において主要被写体判断部２３２によって判断された主要被写体以外の画像領域に含まれる複数の色を抽出してよい。
【００４０】
具体的には、特徴色決定部２７４は、平均出現頻度情報格納部２７２が格納する平均出現頻度に対する、色出現頻度算出部２６４が算出した出現頻度の割合がより大きい色を、主要被写体判断部２３２によって判断された主要被写体以外の画像領域における特徴色として決定する。このため、例えば自然界の風景を背景とした画像に、自然界に多く存在しない紫色が含まれていると、特徴色決定部２７４によって当該紫色が特徴色として決定される。このため、閲覧者の目を引く色を特徴色として決定することができる。
【００４１】
カラーパレット情報格納部２７８は、予め定められた複数の色の組み合わせを示すカラーパレットの情報を複数格納する。なお、カラーパレット情報格納部２７８は、撮像位置に対応づけて、予め定められた複数の色の組み合わせを示すカラーパレットの情報を複数格納している。なお、カラーパレットとは、視覚的に調和のとれた複数の色の組み合わせであってよい。また、カラーパレット情報格納部２７８は、インターネット等の通信回線で取得されるカラーパレットを含んでよく、半導体メモリ等の記録媒体に記録されたカラーパレットを含んでもよい。
【００４２】
撮像位置特定部２３４は、アルバムを構成する画像が撮像された撮像位置を特定する。具体的には、画像格納部２５２は撮像位置の緯度及び経度情報を画像のタグ情報として格納しており、撮像位置特定部２３４は、画像のタグ情報を参照して、アルバムを構成する画像の撮像位置を含む地域を特定する。例えば、撮像位置特定部２３４は、アルバムを構成する画像の撮像位置を含む国を特定する。
【００４３】
カラーパレット選択部２８０は、特徴色決定部２７４が決定した特徴色を含むカラーパレットをカラーパレット情報格納部２７８から選択する。なお、カラーパレット選択部２８０は、撮像位置特定部２３４が特定した撮像位置に対応づけてカラーパレット情報格納部２７８が格納するカラーパレットを複数選択してよい。例えば、カラーパレット選択部２８０は、撮像位置特定部２３４が特定した地域に対応づけてカラーパレット情報格納部２７８が格納するカラーパレットを複数選択してよい。また、カラーパレット選択部２８０は、主画像選択部２１２が選択した主画像において特徴色決定部２７４が決定した特徴色を含むカラーパレットをカラーパレット情報格納部２７８から選択する。
【００４４】
アルバム使用色選択部２７６は、特徴色決定部２７４が決定した特徴色に基づいて、画像を含むアルバムにおける画像以外の部分に使用する色であるアルバム使用色を選択する。具体的には、アルバム使用色選択部２７６は、特徴色決定部２７４が決定した特徴色を含むカラーパレットを選択し、選択したカラーパレットに含まれる色をアルバム使用色として選択する。より具体的には、アルバム使用色選択部２７６は、カラーパレット選択部２８０が選択したカラーパレットに含まれる色をアルバム使用色として選択する。
【００４５】
なお、アルバム使用色選択部２７６は、撮像位置特定部２３４が特定した撮像位置に対応づけてカラーパレット情報格納部２７８が格納するカラーパレットを複数選択してよい。そして、アルバム使用色選択部２７６は、選択した複数のカラーパレットから、特徴色決定部２７４が決定した特徴色を含むカラーパレットを選択し、選択したカラーパレットに含まれる色をアルバム使用色として選択する。このため、例えば中国で撮像した画像が収められたページには、例えば中国の国旗の赤色を含む中国向けのカラーパレットの色を用いて着色することができる。したがって、ユーザ１８０にとって視覚的に違和感のないアルバムを作成することができる。
【００４６】
従画像選択部２２２は、特徴色決定部２７４が決定した特徴色に基づいて、主画像選択部２１２が選択した主画像にアルバムにおいて従属する画像となるべき従画像を、画像格納部２５２が格納している複数の画像から選択する。具体的には、色抽出部２６２は、画像格納部２５２が格納している複数の画像において主要被写体判断部２３２によって判断された主要被写体以外の画像領域に含まれる複数の色を抽出する。特徴色決定部２７４は、色出現頻度算出部２６４が算出した複数の色の出現頻度に基づいて、主要被写体判断部２３２によって判断された主要被写体以外の画像領域における特徴的な色である特徴色を決定する。そして、従画像選択部２２２は、主画像選択部２１２が選択した主画像において特徴色決定部２７４が決定した特徴色を含むカラーパレットを選択し、選択したカラーパレットに含まれる色を、特徴色決定部２７４が決定した特徴色として含む画像を、従画像として選択する。より具体的には、従画像選択部２２２は、カラーパレット選択部２８０が選択したカラーパレットに含まれる色を、特徴色決定部２７４が決定した特徴色として含む画像を、従画像として選択する。
【００４７】
このため、主画像の特徴色を含むカラーパレットに含まれる色を特徴色として含む画像を例えば同一ページにレイアウトしたりすることができるので、画像も含めて視覚的に調和のとれたアルバムにすることができる。
【００４８】
なお、特徴色決定部２７４は、色出現頻度算出部２６４が算出した複数の色の出現頻度に基づいて、主要被写体判断部２３２によって判断された主要被写体以外の画像領域における複数の特徴色を決定してよい。そして、アルバム使用色選択部２７６は、特徴色決定部２７４が決定した複数の特徴色を含むカラーパレットを選択し、選択されたカラーパレットに含まれる色をアルバム使用色として選択してよい。
【００４９】
カラーパレット選択部２８０は、特徴色決定部２７４が決定した特徴色を含むカラーパレットを選択する。そして、アルバム使用色選択部２７６は、色抽出部２６２が抽出した複数の色の中から、カラーパレット選択部２８０が選択したカラーパレットに含まれる少なくとも１つ色のそれぞれに最も類似する色である類似色を抽出し、抽出した類似色をアルバム使用色として選択する。
【００５０】
抽出条件格納部２８２は、カラーパレット情報格納部２７８が格納しているカラーパレットに含まれるそれぞれの色に対応づけて、類似色として抽出されるべき条件である抽出条件を格納する。そして、アルバム使用色選択部２７６は、カラーパレット選択部２８０が選択したカラーパレットに含まれるそれぞれの色に対応づけて抽出条件格納部２８２が格納している抽出条件に合致する色を、色抽出部２６２が抽出した複数の色の中から類似色として抽出し、抽出した類似色をアルバム使用色として選択する。
【００５１】
抽出条件格納部２８２は、カラーパレット情報格納部２７８が格納しているカラーパレットに含まれるそれぞれの色に対応づけて、当該色を含む、類似色として抽出されるべき色範囲を格納する。そして、アルバム使用色選択部２７６は、カラーパレット選択部２８０が選択したカラーパレットに含まれるそれぞれの色に対応づけて抽出条件格納部２８２が格納している色範囲に含まれる色を、色抽出部２６２が抽出した複数の色の中から類似色として抽出し、抽出した類似色をアルバム使用色として選択する。このため、アルバム作成装置１００は、画像に実際に含まれる色であり、かつ、カラーパレットに近い色を用いてアルバムに配色することができる。
【００５２】
なお、テクスチャ抽出部２９０は、主要被写体判断部２３２によって判断された主要被写体以外の画像領域に含まれるテクスチャの特徴量を抽出する。そして、アルバム作成部２５６は、テクスチャ抽出部２９０が抽出したテクスチャの特徴量に基づいて生成されたテクスチャテンプレート画像を、画像を含むアルバムにおける画像以外の部分に配置する。
【００５３】
具体的には、テクスチャ抽出部２９０は、主要被写体判断部２３２によって判断された主要被写体以外の画像領域において空間周波数を解析することによって、主要被写体以外の画像領域における特徴的な周波数領域を抽出する。そして、アルバム作成部２５６は、テクスチャ抽出部２９０が抽出した周波数領域を強調して生成されたテクスチャテンプレート画像を、画像を含むアルバムにおける画像以外の部分に配置する。
【００５４】
具体的には、テクスチャテンプレート格納部２９２は、テクスチャの特徴量に対応づけて、当該特徴量を持つテクスチャテンプレート画像を格納する。そして、アルバム作成部２５６は、テクスチャ抽出部２９０が抽出したテクスチャの特徴量に対応づけてテクスチャテンプレート格納部２９２が格納しているテクスチャテンプレート画像を、画像を含むアルバムにおける画像以外の部分に配置する。
【００５５】
なお、テンプレート格納部２５４は、画像を含むアルバムにおける画像以外の部分のデザインを定めた背景テンプレートを格納する。そして、アルバム作成部２５６は、テクスチャ抽出部２９０が抽出した周波数領域が強調された輝度信号パターンを生成して、生成した輝度信号パターンを、テンプレート格納部２５４が格納している背景テンプレートに重ね合わせることによってテクスチャテンプレート画像を生成し、生成したテクスチャテンプレート画像を、画像を含むアルバムにおける画像以外の部分に配置する。
【００５６】
なお、テクスチャ抽出部２９０は、特徴色決定部２７４が決定した特徴色を持つ、画像に含まれるオブジェクトからテクスチャの特徴量を抽出する。アルバム作成部２５６は、テクスチャ抽出部２９０が抽出したテクスチャの特徴量に基づいて生成されたテクスチャテンプレート画像を、画像を含むアルバムにおける画像以外の部分に配置する。これにより、アルバム作成装置１００は、画像において特徴的な領域のテクスチャをアルバムデザインにおいて強調することができる。
【００５７】
以上説明したアルバム作成装置１００によれば、アルバムに収められる画像の主要被写体の背景と視覚的に調和のとれた色が使用されたアルバムを作成することができる。例えば、砂浜、海、空などが被写体の背景に大きく写っている画像を用いてアルバムを作成する場合に、アルバム作成装置１００は、白、水色等の、画像と調和のとれた淡い色を含むカラーパレットの色を用いて自動的にアルバムを作成する。また、主要被写体の人物が風景の色と視覚的に調和しない色の服を着て写っている場合でも、アルバム作成装置１００は、風景の色と調和のとれた色のアルバムを作成することができる。このため、アルバム作成装置１００は、視覚的な違和感のないアルバムをユーザ１８０に提供することができる。
【００５８】
図４は、アルバムの作成フローの一例を示す。主要被写体判断部２３２は、アルバムに収める複数の画像のそれぞれにおける主要被写体を判断する（Ｓ５０２）。このとき、主要被写体判断部２３２は、画像における複数の部分領域のうち、コントラストのより高い部分領域を主要被写体が存在する部分領域と判断して、当該部分領域においてエッジ抽出などにより被写体の輪郭を抽出することによって主要被写体を判断してよい。また、主要被写体判断部２３２は、画像において面積のより大きい被写体を優先して主要被写体として選択してよい。また、主要被写体判断部２３２は、動作量のより大きい被写体を優先して主要被写体として選択してよい。
【００５９】
そして、特徴色決定部２７４は、各画像において、主要被写体以外の画像領域の特徴色を画像毎に抽出する（Ｓ５０４）。そして、主画像選択部２１２は、アルバムに収める画像の中から、主画像を選択する（Ｓ５０６）。なお、主画像選択部２１２は、アルバムの各ページに分けられた画像の中から、各ページにおける主画像を選択してよい。また、主画像は、ユーザ１８０によって選択されてもよい。
【００６０】
そして、カラーパレット選択部２８０は、撮像位置特定部２３４によって特定された画像の撮像地域に対応付けてカラーパレット情報格納部２７８が格納する一以上のカラーパレットの中から、主画像の特徴色を含むカラーパレットを選択する（Ｓ５０８）。そして、従画像選択部２２２は、Ｓ５０８において選択されたカラーパレットに含まれる色を特徴色として含む画像を、従画像として選択する（Ｓ５１０）。
【００６１】
そして、アルバム作成部２５６は、アルバムの各ページにおいて、主画像及び従画像をテンプレートで示される画像枠にはめ込んでレイアウトする（Ｓ５１２）。そして、アルバム作成部２５６は、Ｓ５０８において選択されたカラーパレットに含まれる色を用いて、テンプレートで示される着色領域に着色して（Ｓ５１４）、処理を終了する。これにより、アルバム作成装置１００は、アルバムの各ページにおいて視覚的に調和のとれたアルバムを作成することができる。
【００６２】
なお、Ｓ５０８において、カラーパレット選択部２８０は、アルバムの各ページの主画像において決定された複数の特徴色を含むカラーパレットを選択してよい。そしてアルバム使用色選択部２７６は、カラーパレット選択部２８０によって選択されたカラーパレットに含まれる色の中から、アルバム使用色をページ毎に選択してよい。これにより、全体が視覚的に調和のとれたアルバムを作成することができる。また、Ｓ５０８において、各ページに収める画像が決定されている場合に、カラーパレット選択部２８０は、アルバムの各ページに収める主画像及び従画像の画像のそれぞれにおいて決定された複数の特徴色を含むカラーパレットを選択してもよい。
【００６３】
図５は、画像における色の出現頻度の一例を示す。図５は、色空間を複数の領域に分割した複数の色領域（色領域Ａ、色領域Ｂ、色領域Ｃ、・・・・）のそれぞれにおける、各色領域に含まれる色が画像に出現する出現頻度に対する画像の枚数分布を示す。なお、出現頻度は、例えば各色領域の色が画像において占める面積を、当該画像の全面積で除した値であってよい。また、当該枚数分布は予め定められてもよいし、ユーザ１８０によって撮像された複数の画像から導かれてもよい。
【００６４】
そして、平均出現頻度情報格納部２７２は、当該枚数分布における平均出現頻度を格納する。例えば、図５の例では、平均出現頻度情報格納部２７２は、色領域Ａ、色領域Ｂ、及び色領域Ｃの色の平均出現頻度として、それぞれ１％、０．８％、０．２％を格納する。そして、色出現頻度算出部２６４によって、例えば色領域Ａ、色領域Ｂ、色領域Ｃの色の出現頻度が１．２％と算出されたとすると、特徴色決定部２７４は、平均出現頻度に対する出現頻度の割合（色領域Ａ：１．２、色領域Ｂ：１．５、色領域Ｃ：６）に基づいて特徴色を決定する。この例では、特徴色決定部２７４は、平均出現頻度に対する出現頻度の割合がより大きい色である色領域Ｃに含まれる色を、特徴色として決定する。
【００６５】
そして、カラーパレット選択部２８０は、特徴色決定部２７４が決定した特徴色を含むカラーパレットを選択する。なお、特徴色決定部２７４は、より出現頻度の割合が高い複数の色領域のそれぞれが含む色から特徴色を決定してもよい。そして、カラーパレット選択部２８０は、特徴色決定部２７４が決定した複数の特徴色を含むカラーパレットを選択してよい。
【００６６】
また、特徴色決定部２７４は、平均出現頻度に対する出現頻度の割合がより大きい色を、特徴度のより高い特徴色として決定してよい。また、特徴色決定部２７４は、より多くの画像において特徴色として決定された色を、複数の画像において特徴度のより高い特徴色として決定してもよい。
【００６７】
なお、平均出現頻度情報格納部２７２は、枚数分布自体を格納してもよい。そして、特徴色決定部２７４は、平均出現頻度情報格納部２７２が格納する分布に基づいて、色出現頻度算出部２６４によって算出された色の偏差値を計算して、当該偏差値がより大きい色を、特徴色として決定してもよい。また、特徴色決定部２７４は、当該偏差値がより大きい色を、特徴度のより高い特徴色として決定してもよい。
【００６８】
このため、例えば広い砂浜に紫色のパラソルが人物の背景に写っている画像において、紫色の出現頻度が他の色の出現頻度に比べて小さい場合であっても、紫色の平均出現頻度が他の色に比べて小さいと、画像の特徴的な色としてアルバムに使用され得る。このため、アルバム作成装置１００は、画像の中の特徴的な色を用いてアルバムを作成することができる。
【００６９】
図６は、抽出条件格納部２８２が格納する抽出条件の一例をテーブル形式で示す。抽出条件格納部２８２は、カラーパレットに含まれる色に対応づけて、色相、明度、彩度、及び画像領域に関する抽出条件を格納する。なお、色相、明度、及び彩度は、色の範囲を定める色的な抽出条件を示し、画像領域は画像において存在すべき位置の範囲を定める位置的な抽出条件を示す。テンプレート用色選択部２７６は、色抽出部２６２が抽出した色のうち、抽出条件格納部２８２が格納している抽出条件に合致する色で、カラーパレットに含まれる色を置き換える。
【００７０】
例えば、抽出条件格納部２８２は、カラーパレットが含むスカイブルーに対して、青の色相であり、かつ、明度の指標が５０より大きく、彩度の指標が１５より大きい色を、スカイブルーを置き換えることができる色として抽出することができる旨を格納している。また、抽出条件格納部２８２は、スカイブルーに対して、画像における上半分に存在する色から抽出することができる旨を格納している。
【００７１】
そして、テンプレート用色選択部２７６は、色抽出部２６２が抽出した色の中から、上記の色抽出条件を満たす色で、スカイブルーを置き換える。このように、テンプレート用色選択部２７６は、カラーパレットに含まれる色を、当該色に近く、かつ、実際に画像に含まれる色で置き換えることができる。したがって、アルバム作成装置１００は、画像とより調和のとれた配色のアルバムを作成することができる。
【００７２】
なお、テンプレート用色選択部２７６は、色抽出部２６２が抽出した色のうち、抽出条件格納部２８２が格納する抽出条件に合致する色が複数存在する場合には、当該複数の色の中からより類似する色をより優先して抽出してよい。なお、より類似する色とは、カラーパレットの色との色差がより小さい色であってよい。他にも、テンプレート用色選択部２７６は、当該複数の色の中から、色出現頻度算出部２６４が算出した出現頻度がより高い色をより優先して選択してもよい。また、テンプレート用色選択部２７６は、当該複数の色の中から、平均出現頻度情報格納部２７２が格納している平均的な出現頻度に対する出現度のより高い色をより優先して選択してもよい。
【００７３】
なお、テンプレート用色選択部２７６は、パールホワイト等のような、白色光に近い色を、画像における光源色によって置き換えてよい。なお、テンプレート用色選択部２７６は、画像において予め定められた輝度値以上の輝度値を持ち、かつ彩度が予め定められた彩度より低い色を、光源色として抽出してよい。そして、テンプレート用色選択部２７６は、光源色として抽出した色で、カラーパレットに含まれる白色光に近い色を置き換えてよい。なお、抽出条件格納部２８２が、カラーパレットに含まれる白色光に近い色に対応づけてこのような輝度値及び彩度の条件を格納可能であることは言うまでもない。
【００７４】
図７は、カラーパレットの色を置き換える動作フローの一例を示す。本図のフローチャートは、図４のＳ５１４の処理において、特にカラーパレットの色を置き換える動作の具体例を示す。テンプレート用色選択部２７６は、Ｓ５０８において選択されたカラーパレットの中から１つの色を選択する（Ｓ７０２）。そして、テンプレート用色選択部２７６は、選択した色に対応づけて抽出条件格納部２８２が格納している抽出条件に合う色が、色抽出部２６２によって抽出されているか否かを判断する（Ｓ７０４）。Ｓ７０４において抽出条件に合う色が抽出されていると判断された場合、Ｓ７０２において選択した色を、抽出条件に合う色で置き換える（Ｓ７０６）。そして、テンプレート用色選択部２７６は、カラーパレットに含まれる色の全てが、Ｓ７０２において選択されて抽出条件に合う色が検索されたか否かを判断する（Ｓ７０８）。Ｓ７０８において、カラーパレットの色を全て検索したと判断された場合、置き換えられたカラーパレットの色を用いて、テンプレートで示される着色領域に着色し（Ｓ７１０）、処理を終了する。
【００７５】
なお、Ｓ７０４において、抽出条件に合う色が抽出されていないと判断された場合には、テンプレート用色選択部２７６はＳ７０８に処理を移行させる。また、Ｓ７０８において、カラーパレットの色を全て検索していないと判断された場合には、テンプレート用色選択部２７６はＳ７０２に処理を移行させ、Ｓ７０２において、抽出条件に合う色が検索されていない新たな色をカラーパレットから１つ選択して、Ｓ７０４以下の処理に移行する。
【００７６】
図８は、アルバム作成装置１００によって作成されたアルバムの一ページの一例を示す。図８の例では、テンプレート格納部２５４は、ページのタイトル用の着色領域４０２、イラスト等のオブジェクト用の着色領域４１２、背景用の着色領域４２２及び４２４のレイアウト情報を格納する。また、テンプレート格納部２５４は、画像の位置及び大きさを示す画像枠４５０、４５２、４５４、及び４５６の構図情報を格納する。そして、アルバム作成部２５６は、主画像選択部２１２によって選択された主画像を画像枠４５０にはめ込む。そして、従画像選択部２２２によって選択された画像を、画像枠４５２、４５４、及び４５６にはめ込む。そして、アルバム作成部２５６は、アルバム使用色選択部２７６によって選択された色を用いて各着色領域４０２に着色する。
【００７７】
なお、アルバム作成部２５６は、着色領域の中でより大きい面積をもつ着色領域４２２を、アルバム使用色の中で特徴色決定部２７４により決定された特徴色に近い色相、明度、及び彩度の色を用いて着色してよい。また、アルバム作成部２５６は、着色領域の中でより大きい面積をもつ着色領域４２２に、より特徴度の高い特徴色に近い色相、明度、及び彩度の色を用いて着色してよい。他にも、アルバム作成部２５６は、タイトルを示す着色領域４０２には、アルバム使用色選択部２７６によって選択されたアルバム使用色のうち、他の着色領域に使用する色よりも彩度のより高い色を用いて着色してよい。
【００７８】
また、アルバム作成部２５６は、オブジェクトを配置する着色領域４１２等、着色領域の中でより小さい面積の着色領域には、特徴色決定部２７４によって決定された特徴色の中で、特徴度がより高く、かつ、平均出現頻度がより小さい特徴色を選択して、選択した特徴色に近い色相、明度、及び彩度の色を、アルバム使用色の中から選択して使用しても良い。例えば、アルバム作成部２５６は、紫色のパラソルが画像に写っており、特徴色決定部２７４によってパラソルの紫色が特徴色として決定された場合に、アルバム使用色の中からパラソルの紫色に近い色を選択して、着色領域４１２に着色する。これによりアルバム作成部２５６は、画像と調和のとれた色であり、なおかつ、ユーザ１８０にとって印象的な色が使用されたアルバムを作成することができる。
【００７９】
以上説明したアルバム作成装置１００によれば、アルバムに収められる画像と視覚的に調和のとれた色を用いてアルバムを作成することができる。例えば、砂浜、海、空などが背景に大きく多く写っている画像を用いてアルバムを作成する場合に、アルバム作成装置１００は、白、水色等の、淡い色を含むカラーパレットの色を用いて自動的にアルバムを作成する。このため、ユーザ１８０は、視覚的な違和感のないアルバムを容易に作成することができる。
【００８０】
図９は、テクスチャテンプレート格納部２９２が格納しているテクスチャテンプレートの一例を示す。テクスチャテンプレート格納部２９２は、テクスチャテンプレートを特徴周波数に対応づけて格納している。なお、特徴周波数とは、テクスチャテンプレートの画像の輝度値をｘ方向及びｙ方向にフーリエ解析した場合に、強い強度が算出された周波数であってよい。テクスチャテンプレート格納部２９２は、ｘ方向及びｙ方向のそれぞれについて特徴周波数を複数格納してよい。
【００８１】
そして、テクスチャ抽出部２９０は、主要被写体以外の画像領域の画像から、フーリエ解析によって特徴的な周波数を算出する。そして、アルバム作成部２５６は、テクスチャテンプレート格納部２９２が格納している特徴周波数と、テクスチャ抽出部２９０が抽出した特徴的な周波数とを比較して、より合致度の高い特徴周波数に対応づけてテクスチャテンプレート格納部２９２が格納しているテクスチャテンプレートを選択する。そして、アルバム作成部２５６は、選択したテクスチャテンプレートを用いてアルバムを作成する。なお、合致度とは、テクスチャ抽出部２９０が抽出した特徴的な周波数と、テクスチャテンプレート格納部２９２が格納している特徴周波数との差を指標としてよく、当該差（又は差の合計値）がより小さい場合により合致度が高いと判断される。
【００８２】
なお、テクスチャテンプレート格納部２９２は、テクスチャテンプレートをフーリエ解析等の周波数解析をすることによって得られた周波数の強度分布そのものを格納していてもよい。その他、テクスチャテンプレート格納部２９２は、テクスチャテンプレートからエッジ抽出によって得られたエッジのエッジパターンに対応づけて、テクスチャテンプレートを格納してよい。そして、テクスチャ抽出部２９０は、主要被写体以外の画像領域の画像から、エッジ抽出によって抽出されたエッジパターンを、テクスチャとして抽出してよい。そして、アルバム作成部２５６は、テクスチャ抽出部２９０が抽出したエッジパターンと、テクスチャテンプレート格納部２９２が格納しているエッジパターンとを、パターンマッチングによって比較して、最も合致度の高いエッジパターンを選択する。そして、アルバム作成部２５６は、選択したエッジパターンに対応づけてテクスチャテンプレート格納部２９２が格納しているテクスチャテンプレートを選択して、選択したテクスチャテンプレートを用いてアルバムを作成してよい。
【００８３】
図１０は、アルバム作成部２５６によって作成されたアルバムの１ページにおけるレイアウト結果の一例を示す。アルバム作成部２５６は、テクスチャテンプレートを用いて、画像枠４５０の周囲を縁どる（縁１０１０）。また、アルバム作成部２５６は、風船を示す着色領域４１２に対して、テクスチャ抽出部２９０が抽出したテクスチャが強調された画像処理を施す。
【００８４】
具体的には、アルバム作成部２５６は、テクスチャ抽出部２９０が抽出した特徴的な周波数を含む強度分布に対してフーリエ逆変換を施すことによって、当該周波数が強調された輝度パターンを生成する。そして、アルバム作成部２５６は、生成した輝度パターンを、着色領域４１２の輝度データに重ね合わせることによって、着色領域４１２において当該特徴的な周波数が強調されたテクスチャテンプレートを生成する。また、アルバム作成部２５６は、特徴色決定部２７４が決定した特徴色を持つオブジェクトからテクスチャ抽出部２９０が抽出した特徴的な周波数から、テクスチャテンプレートを生成してよい。他にも、アルバム作成部２５６は、着色領域４１２の輝度値を空間的にフーリエ変換することによって得られる周波数分布において、テクスチャ抽出部２９０が抽出した特徴的な周波数の強度を他の周波数の強度より大きくした周波数分布を逆フーリエ変換することによって、当該特徴的な周波数が強調されたテクスチャテンプレートを生成してもよい。
【００８５】
以上説明したように、アルバム作成装置１００は、主要被写体の周囲におけるテクスチャに類似するテクスチャが強調されたアルバムを作成することができる。このため、アルバム作成装置１００は、閲覧者にとって画像と視覚的にバランスのとれたアルバムを提供することができる。
【００８６】
図１１は、本実施形態に係るアルバム作成装置１００のハードウェア構成の一例を示す。アルバム作成装置１００は、ホスト・コントローラ１５８２により相互に接続されるＣＰＵ１５０５、ＲＡＭ１５２０、グラフィック・コントローラ１５７５、及び表示装置１５８０を有するＣＰＵ周辺部と、入出力コントローラ１５８４によりホスト・コントローラ１５８２に接続される通信インターフェイス１５３０、ハードディスクドライブ１５４０、及びＣＤ−ＲＯＭドライブ１５６０を有する入出力部と、入出力コントローラ１５８４に接続されるＲＯＭ１５１０、フレキシブルディスク・ドライブ１５５０、及び入出力チップ１５７０を有するレガシー入出力部とを備える。
【００８７】
ホスト・コントローラ１５８２は、ＲＡＭ１５２０と、高い転送レートでＲＡＭ１５２０をアクセスするＣＰＵ１５０５、及びグラフィック・コントローラ１５７５とを接続する。ＣＰＵ１５０５は、ＲＯＭ１５１０、及びＲＡＭ１５２０に格納されたプログラムに基づいて動作し、各部の制御を行う。グラフィック・コントローラ１５７５は、ＣＰＵ１５０５等がＲＡＭ１５２０内に設けたフレーム・バッファ上に生成する画像データを取得し、表示装置１５８０上に表示させる。これに代えて、グラフィック・コントローラ１５７５は、ＣＰＵ１５０５等が生成する画像データを格納するフレーム・バッファを、内部に含んでもよい。
【００８８】
入出力コントローラ１５８４は、ホスト・コントローラ１５８２と、比較的高速な入出力装置であるハードディスクドライブ１５４０、通信インターフェイス１５３０、ＣＤ−ＲＯＭドライブ１５６０を接続する。ハードディスクドライブ１５４０は、ＣＰＵ１５０５が使用するプログラム、及びデータを格納する。通信インターフェイス１５３０は、ネットワーク通信装置１５９８に接続してプログラムまたはデータを送受信する。ＣＤ−ＲＯＭドライブ１５６０は、ＣＤ−ＲＯＭ１５９５からプログラムまたはデータを読み取り、ＲＡＭ１５２０を介してハードディスクドライブ１５４０、及び通信インターフェイス１５３０に提供する。
【００８９】
また、入出力コントローラ１５８４には、ＲＯＭ１５１０と、フレキシブルディスク・ドライブ１５５０、及び入出力チップ１５７０の比較的低速な入出力装置とが接続される。ＲＯＭ１５１０は、アルバム作成装置１００が起動時に実行するブート・プログラムや、アルバム作成装置１００のハードウェアに依存するプログラム等を格納する。フレキシブルディスク・ドライブ１５５０は、フレキシブルディスク１５９０からプログラムまたはデータを読み取り、ＲＡＭ１５２０を介してハードディスクドライブ１５４０、及び通信インターフェイス１５３０に提供する。入出力チップ１５７０は、フレキシブルディスク・ドライブ１５５０や、例えばパラレル・ポート、シリアル・ポート、キーボード・ポート、マウス・ポート等を介して各種の入出力装置を接続する。
【００９０】
ＣＰＵ１５０５が実行するプログラムは、フレキシブルディスク１５９０、ＣＤ−ＲＯＭ１５９５、またはＩＣカード等の記録媒体に格納されて利用者によって提供される。記録媒体に格納されたプログラムは圧縮されていても非圧縮であってもよい。プログラムは、記録媒体からハードディスクドライブ１５４０にインストールされ、ＲＡＭ１５２０に読み出されてＣＰＵ１５０５により実行される。
【００９１】
ＣＰＵ１５０５により実行されるプログラムは、アルバム作成装置１００を、図１から図１０に関連して説明した画像格納部２５２、主画像選択部２１２、従画像選択部２２２、撮像位置特定部２３４、画像色解析部２６０、アルバム使用色決定部２７０、テンプレート格納部２５４、テクスチャ抽出部２９０、テクスチャテンプレート格納部２９２、及びアルバム作成部２５６として機能させる。また、ＣＰＵ１５０５により実行されるプログラムは、画像色解析部２６０を、主要被写体判断部２３２、色抽出部２６２、及び色出現頻度算出部２６４として機能させ、アルバム使用色決定部２７０を、特徴色決定部２７４、アルバム使用色選択部２７６、カラーパレット情報格納部２７８、及び平均出現頻度情報格納部２７２、カラーパレット選択部２８０、及び抽出条件格納部２８２として機能させる。
【００９２】
以上に示したプログラムは、外部の記憶媒体に格納されてもよい。記憶媒体としては、フレキシブルディスク１５９０、ＣＤ−ＲＯＭ１５９５の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスクまたはＲＡＭ等の記憶装置を記録媒体として使用し、ネットワークを介してプログラムをアルバム作成装置１００に提供してもよい。
【００９３】
以上、実施形態を用いて本発明を説明したが、本発明の技術的範囲は上記実施形態に記載の範囲には限定されない。上記実施形態に、多様な変更又は改良を加えることができる。そのような変更又は改良を加えた形態も本発明の技術的範囲に含まれ得ることが、特許請求の範囲の記載から明らかである。
【図面の簡単な説明】
【００９４】
【図１】アルバム作成装置１００の利用環境の一例を示す図である。
【図２】アルバムにおける主画像及び従画像の一例を示す図である。
【図３】アルバム作成装置１００のブロック構成の一例を示す図である。
【図４】アルバムの作成フローの一例を示す図である。
【図５】画像における色の出現頻度の一例を示す図である。
【図６】抽出条件の一例をテーブル形式で示す図である。
【図７】カラーパレットの色を置き換える動作フローの一例を示す図である。
【図８】作成されたアルバムの一ページの一例を示す図である。
【図９】テクスチャテンプレートの一例を示す図である。
【図１０】アルバムの１ページにおけるレイアウト結果の一例を示す図である。
【図１１】アルバム作成装置１００のハードウェア構成の一例を示す図である。
【符号の説明】
【００９５】
１００  アルバム作成装置
２１２  主画像選択部
２２２  従画像選択部
２３２  主要被写体判断部
２３４  撮像位置特定部
２５２  画像格納部
２５４  テンプレート格納部
２５６  アルバム作成部
２６０  画像色解析部
２６２  色抽出部
２６４  色出現頻度算出部
２７０  アルバム使用色決定部
２７２  平均出現頻度情報格納部
２７４  特徴色決定部
２７６  アルバム使用色選択部
２７８  カラーパレット情報格納部
２８０  カラーパレット選択部
２８２  抽出条件格納部
２９０  テクスチャ抽出部
２９２  テクスチャテンプレート格納部
【図１】
2006318449.tif 000003
【図２】
2006318449.tif 000004
【図３】
2006318449.tif 000005
【図４】
2006318449.tif 000006
【図５】
2006318449.tif 000007
【図６】
2006318449.tif 000008
【図７】
2006318449.tif 000009
【図８】
2006318449.tif 000010
【図９】
2006318449.tif 000011
【図１０】
2006318449.tif 000012
【図１１】
2006318449.tif 000013